(57)【特許請求の範囲】
【請求項１】
金属繊維を用いて構成したフィルターであって、
このフィルターは、圧潰薄肉部からなる第１の領域と、前記圧潰薄肉部の表面より突出した膨出部からなる第２の領域とを具備し、
前記第２の領域は前記第１の領域によって囲まれるよう構成され、
前記第２の領域の最大長が前記金属繊維の繊維長より短い
ことを特徴とするフィルター。
【請求項２】
第２の領域は、フィルターの一面側又は両面側において突出して構成されたものであることを特徴とする請求項１のフィルター。
【請求項３】
フィルターの周辺部は第１の領域で形成された平板状であることを特徴とする請求項１又は請求項２のフィルター。
【請求項４】
金属繊維とバインダーとを用いて構成したフィルターであることを特徴とする請求項１〜請求項３いずれかのフィルター。
【請求項５】
金属繊維を用いて構成したフィルターと、
前記フィルターの一端側に取り付けられた第１のマグネットと、
前記フィルターに掛止する掛止部を構成したスライド可能なバーと、
前記バーに取り付けられた第２のマグネットと
を具備することを特徴とするフィルター装置。
【請求項６】
フィルターとして請求項１〜請求項４いずれかのフィルターが用いられてなることを特徴とする請求項５のフィルター装置。
【請求項７】
バーは、フィルター幅相当部と、このフィルター幅相当部の両端から連続し、折曲形成された折曲延在部で構成された掛止部とを具備し、
第２のマグネットは前記折曲延在部で構成された掛止部に取り付けられたものであることを特徴とする請求項５のフィルター装置。
【発明の詳細な説明】
【０００１】
【発明の属する技術分野】
本発明は、厨房などに設けられるフィルター装置に関する。
【０００２】
【従来の技術】
家庭やレストランの厨房には、レンジフードと呼ばれる換気扇装置が設けられている。この換気扇装置は、ほぼ水平に配置されたパネルに通風用の開口部が形成され、この開口部の向側（外部に面する側）に換気用のファンが設けられ、開口部の手前側にフィルターユニットが設けられたものである。そして、ファンの回転により、パネル下方の厨房室内の空気がフィルターユニットを通して開口部から室外に排気される。この排気に際して、油煙などはフィルターユニットに捕捉される。油煙などが捕捉・付着したフィルターユニットは汚いだけでなく、通気性が低下することから、交換の必要がある。従って、フィルターユニットは換気扇装置に対して着脱自在となっている。
【０００３】
フィルターユニットとして、網フレームと、この網フレーム内に挿脱自在に収納されたフィルターとからなるものが知られている。
しかし、このものは収納されたフィルターを新しいフィルターに交換しても、不十分である。なぜならば、網フレームにも油煙などが付着していることから、網フレームも交換するか、若しくは網フレームを洗浄しなければならない。これでは、コストが高くつくか、手間が掛かる。
【０００４】
そこで、磁性材からなるパネルに通風用の開口部を形成し、この開口部の内側に換気用のファンを設けた換気扇本体と、前記パネルの外面に前記開口部に対向して着脱可能に設けたフィルターとを備え、前記フィルターは、アルミ繊維を加圧してフェルト状をなす平板状に形成してなり、更にこのフィルターにはその周縁部を圧潰して圧潰薄肉部を形成し、このフィルターを換気扇本体における前記パネルの外面に前記開口部に対向して設けると共に、前記圧潰薄肉部に複数のマグネット止め具を均等的に配設し、これらマグネット止め具の磁力でフィルターを前記パネルに着脱可能に取り付けた換気扇装置が提案（登録実用新案第３０１４３１７号）されている。
【０００５】
ここで、アルミ繊維を積層し、これを上下から加圧してフェルト状をなす平板状に形成し、更にその周縁部を圧潰して圧潰薄肉部を形成したフィルター３０は、パネルの開口部を塞ぐことが出来る大きさ、例えば３０ｃｍ×３５ｃｍの大きさであり、図１１に示す構造をしている。尚、３１は周縁部の圧潰薄肉部、３２はライン状の圧潰薄肉部である。
【０００６】
【発明が解決しようとする課題】
しかし、上記提案の換気扇装置におけるフィルターは、アルミ繊維を積層し、これを上下から加圧してフェルト状をなす平板状に形成し、更にその周縁部などを圧潰して圧潰薄肉部を形成したに過ぎないものであることから、アルミ繊維の脱落の恐れがある。
【０００７】
そこで、本願発明者は、フィルター３０の圧潰薄肉部３１，３２に接着剤を含浸させることを試みたが、これでもアルミ繊維の脱落防止は充分でなかった。
又、換気扇装置のパネルの大きさは、Ｌタイプの大きさやＭタイプの大きさのものと言ったように、幾つかある。
しかし、上記提案の換気扇装置におけるフィルター３０では、一つのもので、共用できるように構成されていない。
【０００８】
従って、本発明が解決しようとする第１の課題は、アルミ繊維の脱落の恐れがないフィルターを提供することである。
又、本発明が解決しようとする第２の課題は、換気扇装置にフィルターを取り付ける作業性が良いフィルター装置を提供することである。特に、一つの種類のフィルターをＬタイプやＭタイプの大きさの換気扇装置に簡単に適用できるようにしたフィルター装置を提供することである。
【０００９】
【課題を解決するための手段】
上記第１の課題は、金属繊維を用いて構成したフィルターであって、
このフィルターは、圧潰薄肉部からなる第１の領域と、前記圧潰薄肉部の表面より突出した膨出部からなる第２の領域とを具備し、
前記第２の領域は前記第１の領域によって囲まれるよう構成され、
前記第２の領域の最大長が前記金属繊維の繊維長より短い
ことを特徴とするフィルターによって解決される。
【００１０】
特に、金属繊維とバインダーとを用いて構成したフィルターであって、
このフィルターは、圧潰薄肉部からなる第１の領域と、前記圧潰薄肉部の表面より突出した膨出部からなる第２の領域とを具備し、
前記第２の領域は前記第１の領域によって囲まれるよう構成され、
前記第２の領域の最大長が前記金属繊維の繊維長より短い
ことを特徴とするフィルターによって解決される。
【００１１】
そして、上記のように構成させたフィルターにあっては、金属繊維同士が、単に、絡まっているだけではない。すなわち、空気が通過する効率を高める為、空隙を大きくした（圧潰薄肉部（第１の領域）より空隙を大きくした）膨出部（第２の領域）の大きさを金属繊維の繊維長より短くしたから、金属繊維の一端は、必ず、金属繊維同士が密に絡まっている圧潰薄肉部（第１の領域）に存在している。従って、金属繊維が脱落し難い。つまり、圧潰していない為、ソフトにしか絡まっていない場合には、金属繊維が脱落し易いものの、少なくとも一端が圧潰して密に絡まった領域に存在していると、脱落し難いからである。特に、バインダーをも用いてフィルターを構成した場合には、圧潰薄肉部（第１の領域）においてバインダーによって確実に固定され、金属繊維が脱落し難い。
【００１２】
膨出部（第２の領域）は、フィルターの一面側又は両面側において突出して構成されたものである。そして、フィルターの周辺部は第１の領域（圧潰薄肉部）で形成された平板状であるものが好ましい。
又、上記第２の課題は、金属繊維を用いて構成したフィルターと、
前記フィルターの一端側に取り付けられた第１のマグネットと、
前記フィルターに掛止する掛止部を構成したスライド可能なバーと、
前記バーに取り付けられた第２のマグネットと
を具備することを特徴とするフィルター装置によって解決される。
【００１３】
すなわち、上記のように構成させることによって、フィルター交換時の作業性が良い。特に、フィルターの大きさを小さくしなければならない時、バーに沿ってフィルターを折り曲げるのが簡単に出来る。この為、一つのタイプのもので何種類かの換気扇に対応させることが出来、そしてその時の取付作業性が良い。
尚、バーは、フィルター幅相当部と、このフィルター幅相当部の両端から連続し、折曲形成された折曲延在部で構成された掛止部とを具備し、第２のマグネットは前記折曲延在部で構成された掛止部に取り付けられたものとするのが好ましい。このように構成させた場合には、極めて簡単なものとなる。
【００１４】
そして、フィルターとして上記のフィルターを用いた場合には、上記第１の課題も解決される。
【００１５】
【発明の実施の形態】
本発明になるフィルターは、金属繊維を用いて構成したフィルターであって、このフィルターは、圧潰薄肉部からなる第１の領域と、前記圧潰薄肉部の表面より突出した膨出部からなる第２の領域とを具備し、前記第２の領域は前記第１の領域によって囲まれるよう構成され、前記第２の領域の最大長が前記金属繊維の繊維長より短いものである。特に、金属繊維とバインダーとを用いて構成したフィルターであって、このフィルターは、圧潰薄肉部からなる第１の領域と、前記圧潰薄肉部の表面より突出した膨出部からなる第２の領域とを具備し、前記第２の領域は前記第１の領域によって囲まれるよう構成され、前記第２の領域の最大長が前記金属繊維の繊維長より短いものである。膨出部（第２の領域）は、フィルターの一面側又は両面側において突出して構成されたものである。フィルターの周辺部は第１の領域（圧潰薄肉部）で形成された平板状である。
【００１６】
本発明になるフィルター装置は、金属繊維を用いて構成したフィルターと、前記フィルターの一端側に取り付けられた第１のマグネットと、前記フィルターに掛止する掛止部を構成したスライド可能なバーと、前記バーに取り付けられた第２のマグネットとを具備する。バーは、フィルター幅相当部と、このフィルター幅相当部の両端から連続し、折曲形成された折曲延在部で構成された掛止部とからなり、第２のマグネットは前記折曲延在部で構成された掛止部に取り付けられたものである。尚、フィルターは、特に、上記のフィルターである。
【００１７】
以下、更に詳しく説明する。
図１〜図１０は本発明の一実施形態を示すもので、図１はフィルター装置の表面図、図２はフィルター装置の裏面図、図３は図１のＸ−Ｘ線における断面図、図４は図１のＹ−Ｙ線における断面図、図５はバーの斜視図、図６はフィルターを折り曲げた状態においてバーを取り付けた際の一部の斜視図、図７はフィルター装置が積重される段ボール紙の平面図、図８は一つのフィルター装置が段ボール紙に積重され状態でのフィルター装置と反対側の面からみた裏面図、図９はフレキシブルなプラスチックフィルム製の袋内に収納された状態での平面図、図１０は換気扇装置とフィルター装置との関係を示す説明図である。
【００１８】
各図中、Ａは、金属繊維とバインダーとを用いて構成したフィルターである。尚、金属繊維を構成する材料は如何なる金属材料でも良いが、例えばアルミニウム又はアルミニウム合金（以下、単に、Ａｌ）が好ましい。これは、Ａｌの比重が小さく、フィルターを軽量なものと出来るからである。本実施形態では、Ａｌ製の繊維を用いた。本実施形態における金属繊維の長さは５ｃｍ以上であった。そして、Ａｌ繊維を積層し、これを上下から加圧してフェルト状をなす平板状に形成し、更に所定位置の部分を圧潰して薄肉部を形成し、図１〜図４に示す表面に突出した膨出部１を有するパターンのフィルターＡを作製した。尚、前記パターンは、膨出部１が薄肉部２によって囲まれているパターンである。そして、膨出部１においては、圧潰されていない為、Ａｌ繊維同士間に隙間が充分に形成され、空気の流通性が高い。これに対して、薄肉部２は圧潰されたものであるから、Ａｌ繊維同士間の隙間は小さく、かつ、バインダーとの相乗作用によって空隙は膨出部１より少ない。すなわち、薄肉部２を海、膨出部１を島とみなした場合、多島海（本実施形態において、膨出部（島）１の直径Ｌは１．３ｃｍ、膨出部（島）１間の最短距離は１ｍｍである。）状パターンである。膨出部１は、ドーム型、方型、その他にも各種のタイプのものがある。本実施形態ではドーム型であり、膨出部１の直径Ｌは金属繊維の長さより短い。従って、金属繊維の一端は薄肉部２に存在しているから、金属繊維は確実に絡まっている。特に、バインダーによっても強く固定されている。尚、膨出部１の部分には空隙が大きく形成されているから、この部分を介して空気が吸い込まれ易い。この時、油煙は膨出部１の部分のＡｌ繊維に付着するから、効率よく油煙を捕捉できる。
【００１９】
フィルターＡは、全体が矩形状のものである。例えば、３０．５ｃｍ×４６ｃｍの大きさの長方形をしたものである。そして、周縁から２〜３ｃｍの領域は、膨出部１が形成されておらず、薄肉部２となっている。
フィルターＡの表面側には、その一辺に沿ってＡｌ製のバー３がビス等によって取り付けられている。尚、バー３には、機械的強度を向上させる為、リブが適宜形成されている。フィルターＡの裏面側には、バー３を固定したビス等によってマグネット４が固定されている。尚、マグネット４の取り付け位置は、図２から判る通り、真ん中の位置である。
【００２０】
５はＡｌ製のバーである。このバー５は、フィルター幅相当部５ａと、このフィルター幅相当部５ａの両端から連続し、折曲形成された折曲延在部で構成された掛止部５ｂ，５ｃとからなる。このバー５にも、機械的強度を向上させる為、リブが適宜形成されている。そして、掛止部５ｂ，５ｃの面には、その外面側にマグネット６ａ，６ｂが固定されている。
【００２１】
バー３はフィルターＡに固定されたものであるが、バー５はフィルターＡに対して固定されていない。従って、スライド可能である。
ここで、バー５をスライド可能としたのは、フィルターＡの長辺よりも短い寸法を有する換気扇装置に対して取り付ける際、フィルターＡを綺麗に折り曲げ易くする為である。つまり、バー５があると、フィルターＡをバー５に沿って簡単に折り曲げることが出来る。しかも、フィルターＡは金属繊維を用いて構成しているから、折り曲げた後にあっても、その状態が維持されている。そして、この折り曲げられ、重なった部分にバー５を嵌め合わせることによって、バー５の取り付けは完了する。
【００２２】
バー５が配設されたフィルターＡは、図１０に示す如く、換気扇装置Ｂに取り付けられる。換気扇装置ＢにフィルターＡを取り付けるのは、マグネット４，６ａ，６ｂによる。すなわち、換気扇装置Ｂは、ほぼ水平に配置されたマグネットが吸着する材料で構成されたパネル１０に通風用の開口部１１が形成され、この開口部１１の向側（外部に面する側）に換気用のファン１２が設けられたものである。従って、パネル１０の開口部１１を覆うようにフィルターＡを配置すれば、フィルターＡの裏面側に存在するマグネット４，６ａ，６ｂによってフィルターＡは簡単に取り付けられる。
【００２３】
フィルターＡは、市販時においては、通常、二枚一組である。すなわち、図７の段ボール紙２０の両面にバー５が配設されたフィルターＡが配置される。
段ボール紙２０は、フィルターＡと同じ形状のものである。但し、フィルターＡに取り付けたマグネット４に対応して切欠部２１，２２が形成されており、又、バー５に設けたマグネット６ａ，６ｂに対応して切欠部２３ａ，２３ｂ，２４ａ，２４ｂが形成されている。従って、一つのフィルターＡを段ボール紙２０の表面側に積重すると、そのフィルターＡのマグネット４は切欠部２１に嵌まり、又、バー５の５ｂ，５ｃに取り付けたマグネット６ａ，６ｂは切欠部２３ａ，２３ｂに嵌まる。又、もう一つのフィルターＡを段ボール紙２０の裏面側に積重すると、そのフィルターＡのマグネット４は切欠部２２に嵌まり、又、バー５の５ｂ，５ｃに取り付けたマグネット６ａ，６ｂは切欠部２４ａ，２４ｂに嵌まる。これによって、凹凸が少なくフレキシブルなプラスチックフィルム製の袋２５内に収納できる。
【００２４】
【発明の効果】
本発明のフィルターは、金属繊維を用いて構成したから、全体を薄く構成でき、かつ、必要に応じて折り曲げることが出来る。従って、折り曲げれば、取り付ける部分の面積に応じさせることが出来、それだけ汎用性が高い。そして、圧潰薄肉部からなる第１の領域と、圧潰薄肉部の表面より突出した膨出部からなる第２の領域とを具備し、第２の領域は第１の領域によって囲まれるよう構成され、第２の領域の最大長が金属繊維の繊維長より短いものとさせたから、金属繊維の一端は、必ず、金属繊維同士が密に絡まっている圧潰薄肉部（第１の領域）に存在している。従って、金属繊維が脱落し難い。特に、バインダーをも用いてフィルターを構成した場合には、圧潰薄肉部（第１の領域）においてバインダーによって確実に固定され、金属繊維が脱落し難い。
【００２５】
本発明のフィルター装置は、フィルターに対して掛止するスライド可能なバーを設けたから、換気扇装置にフィルター装置を簡単に取り付けることが出来る。かつ、フィルターを折り曲げて使用する場合、バーに沿って折り曲げることが出来るから、その作業能率が良く、かつ、綺麗に折り曲げられる。
【図面の簡単な説明】
【図１】フィルター装置の表面図
【図２】フィルター装置の裏面図
【図３】図１のＸ−Ｘ線における断面図
【図４】図１のＹ−Ｙ線における断面図
【図５】バーの斜視図
【図６】フィルターを折り曲げた状態においてバーを取り付けた際の一部の斜視図
【図７】段ボール紙の平面図
【図８】フィルター装置が段ボール紙に積重され状態での裏面図
【図９】プラスチックフィルム製の袋内に収納された状態での平面図
【図１０】換気扇装置とフィルター装置との関係を示す説明図
【図１１】従来のフィルターの説明図
【符号の説明】
Ａ          フィルター
１          膨出部（第２の領域）
２          圧潰薄肉部（第１の領域）
３          バー
４          マグネット（第１のマグネット）
５          バー（スライド可能なバー）
５ｂ，５ｃ  掛止部
６ａ，６ｂ  マグネット（第２のマグネット）
【図１】
0003552078.tif 000002
【図２】
0003552078.tif 000003
【図３】
0003552078.tif 000004
【図４】
0003552078.tif 000005
【図５】
0003552078.tif 000006
【図６】
0003552078.tif 000007
【図７】
0003552078.tif 000008
【図８】
0003552078.tif 000009
【図９】
0003552078.tif 000010
【図１０】
0003552078.tif 000011
【図１１】
0003552078.tif 000012